(57)【要約】【課題】ティアテープを用いることなく、フィルム包装体の開封を容易ならしめるようにした新規なフィルム包装体の開封手段を提供する。【解決手段】フィルム５における溶着シーム７を形成すべき部分９の内面９ａに予めインキ層１１を設けることにより該溶着シーム７の破断を容易ならしめたことを特徴とするフィルム包装体の開封手段。インキ層１１は、溶着シーム７を形成すべき部分９の内面９ａに間隔１５を置いて設ける。インキ層１１は透明である。【選択図】図１
2009096515.tif 000002
【特許請求の範囲】
【請求項１】
フィルムにおける溶着シームを形成すべき部分の内面に予めインキ層を設けることにより該溶着シームの破断を容易ならしめたことを特徴とするフィルム包装体の開封手段。
【請求項２】
前記インキ層は、前記溶着シームを形成すべき部分の内面に間隔を置いて設けたことを特徴とする請求項１に記載のフィルム包装体の開封手段。
【請求項３】
前記インキ層は、前記溶着シームを形成すべき部分における相対向する一対の内面にそれぞれ設け、当該一対の内面のインキ層が相互に重なり合うようにしたことを特徴とする請求項１又は２に記載のフィルム包装体の開封手段。
【請求項４】
前記インキ層は、前記溶着シームを形成すべき部分における相対向する一対の内面にそれぞれ設け、当該一対の内面のインキ層が相互に重なり合わないようにしたことを特徴とする請求項１又は２に記載のフィルム包装体の開封手段。
【請求項５】
前記インキ層は、前記溶着シームを形成すべき部分における相対向する一対の内面における一方の内面にのみ設けたこと特徴とする請求項１又は２に記載のフィルム包装体の開封手段。
【請求項６】
前記インキ層は透明であること特徴とする請求項１〜５のいずれかに記載のフィルム包装体の開封手段。
【発明の詳細な説明】
【技術分野】
【０００１】
本発明は、フィルム包装体ないしはフィルム包装体の開封手段に関するものであり、例えば、食品、飲料等の缶詰、瓶詰等、あるいは化粧品、歯磨等のチューブその他の被包装物を包装するフィルム包装体の開封を容易ならしめるためのフィルム包装体の開封手段に係るものである。
【背景技術】
【０００２】
フィルム包装体は、例えば、ポリプロピレン、ポリエチレン、ポリ塩化ビニル等の合成樹脂フィルムを用いたシュリンク包装その他の包装手段により形成される。
【０００３】
フィルム包装体を手で開封することは容易ではないため、フィルム包装体には開封手段としてティアテープがしばしば取り付けられている。特開２００４−２６２５１９号公報は、ティアテープの一例を開示している。
【特許文献１】特開２００４−２６２５１９号公報
【発明の開示】
【発明が解決しようとする課題】
【０００４】
ティアテープはフィルム包装体の開封を容易ならしめるものである。しかるに、ティアテープは、フィルム包装材料とは別に用意される高価な材料であり、該フィルム包装材料に付加されるものであるため、フィルム包装体のコストを上昇させることになる。更に、フィルム包装体にティアテープを備えさせるためには、追加的な機械設備が必要であり、この点でもコストアップの謗りを免れない。
【０００５】
このような状況に鑑み、本発明は、ティアテープを用いることなく、フィルム包装体の開封を容易ならしめるようにした新規なフィルム包装体の開封手段を提供しようとしてなされたものである。
【課題を解決するための手段】
【０００６】
フィルム包装体のフィルムにおいては、後述の如く、一般に印刷は内面（裏側面）に施されるのであるが、フィルムにおける溶着シームを形成すべき部分の内面に印刷を施したときには内面のインキ層がフィルムの溶着を妨げるため、溶着シームを形成すべき部分の内面には印刷を施してはならないと従来より考えられてきた。本発明は、このような固定観念を覆し、逆に、フィルムにおける溶着シームを形成すべき部分の内面に印刷を施したときには内面のインキ層がフィルムの溶着を妨げるということを積極的に利用するものである。すなわち、本発明は、上記課題を解決するために、下記のフィルム包装体の開封手段を提供する。
【０００７】
（１）フィルムにおける溶着シームを形成すべき部分の内面に予めインキ層を設けることにより該溶着シームの破断を容易ならしめたことを特徴とするフィルム包装体の開封手段（請求項１）。
【０００８】
（２）前記インキ層は、前記溶着シームを形成すべき部分の内面に間隔を置いて設ける（請求項２）。
【０００９】
（３）前記インキ層は、前記溶着シームを形成すべき部分における相対向する一対の内面にそれぞれ設け、当該一対の内面のインキ層が相互に重なり合う（請求項３）。
【００１０】
（４）前記インキ層は、前記溶着シームを形成すべき部分における相対向する一対の内面にそれぞれ設け、当該一対の内面のインキ層が相互に重なり合わないようにする（請求項４）。
【００１１】
（５）前記インキ層は、前記溶着シームを形成すべき部分における相対向する一対の内面における一方の内面にのみ設ける（請求項５）。
【００１２】
（６）前記インキ層は透明である（請求項６）。
【発明の効果】
【００１３】
［請求項１の発明］
フィルムにおける溶着シームを形成すべき部分の内面に予めインキ層を設けたときには、該インキ層はフィルムの十分な溶着を妨げる。したがって、溶着シームにおけるインキ層が設けられている部分は、該インキ層の面積ないし厚さにより、容易に破断する。すなわち、フィルム包装体における溶着シームの両近傍部を相互に離れる方向に引くことにより、溶着シームは容易に破断し、フィルム包装体を容易に開封することができる。図７参照。インキ層の面積ないし厚さを調整することにより、溶着シームの破断しやすさ（強さ）を調整することができる。
【００１４】
このように、本発明によれば、高価なティアテープを用いることなく、単にフィルム包装材料に印刷を施すことにより、フィルム包装体の開封を容易ならしめることができる。換言すれば、フィルム包装体のコストを上昇させることなく、フィルム包装体の開封を容易ならしめるという効果を発揮させることができる。
【００１５】
［請求項２の発明］
各インキ層の面積ないし厚さのみならず、インキ層を設ける間隔を調整することによっても、溶着シームの破断しやすさ（強さ）を調整することができる。
【００１６】
［請求項３の発明］
一対の内面のインキ層が相互に重なり合う部分における溶着シームは容易に破断する。相互に重なり合うインキ層の面積ないし厚さ又はインキ層を設ける間隔を調整することにより、溶着シームの破断しやすさ（強さ）を調整することができる。
【００１７】
［請求項４の発明］
一対の内面のインキ層が相互に重なり合わない部分は、相互に重なり合う部分に比べて、溶着シームはやや破断し難い。
【００１８】
［請求項５の発明］
溶着シームを形成すべき部分における相対向する一対の内面における一方の内面にのみインキ層を設けたときには、相対向する一対の内面の両方にインキ層を設けたときに比べて、溶着シームはやや破断し難い。
【００１９】
［請求項６の発明］
インキ層が透明であるため、使用者には開封手段の存在自体がわからない。したがって、開封時における使用者の興味をそそるという面白さがある。
【発明を実施するための最良の形態】
【００２０】
符号１に示すものはフィルム包装体である。
【００２１】
フィルム包装体１は、例えば、食品、飲料等の缶詰、瓶詰等、あるいは化粧品、歯磨等のチューブその他の被包装物を包装する合成樹脂製の包装体である。フィルム包装体１は、ポリプロピレン、ポリエチレン、ポリ塩化ビニル等の合成樹脂フィルムを用いたシュリンク包装により形成される包装体を含むが、シュリンク包装により形成される包装体に限定されるものではない。
【００２２】
図示のフィルム包装体１は、複数の缶詰３、３・・・を積み重ねた状態で包装している。
【００２３】
本発明によるフィルム包装体の開封手段は、フィルム包装体１のフィルム５における溶着シーム７を形成すべき部分９の内面９ａに予めインキ層１１を設けることにより該溶着シーム７の破断を容易ならしめたことを特徴とするものである。
【００２４】
フィルム包装体１のフィルム５は、溶着シーム７にて溶着手段１３ａ、１３ｂ（図２、図３参照）により熱溶着・切断されるのであるが、溶着シーム７を形成すべき部分９の内面９ａに予めインキ層１１を設けたときには、該インキ層１１がフィルム５の十分な溶着を妨げる。したがって、溶着シーム７におけるインキ層７が設けられている部分は、該インキ層７の面積ないし厚さにより、容易に破断する。すなわち、図７に示す如く、フィルム包装体１における溶着シーム７の両近傍部を相互に離れる方向に引くことにより、溶着シーム７は容易に破断し、フィルム包装体１を容易に開封することができる。
【００２５】
インキ層１１は、一例として、溶着シーム７を形成すべき部分９の内面９ａに間隔１５を置いて設ける。
【００２６】
溶着シーム７を形成すべき部分９の内面９ａは、溶着により相互に密着する面である。因みに、フィルム包装体１のフィルムにおいては、一般に印刷は内面（裏側面）に施される。けだし、印刷は、フィルムの内面に施したときに、より美しく見えるからである。
【００２７】
インキ層１１の面積が大きい程、溶着シーム７は破断しやすくなる。したがって、各インキ層１１の面積を大きくし、又はインキ層１１とインキ層１１との間隔１５を小さくすることにより、溶着シーム７は破断しやすくなる。一方、各インキ層１１の面積を小さくし、又はインキ層１１とインキ層１１との間隔１５を大きくすることにより、溶着シーム７は破断し難くなる。図４、図５参照。
【００２８】
また、インキ層１１の厚さが大きい程、溶着シーム７は破断しやすくなる。
【００２９】
図１、図２、図４、図５、図７に示す事例においては、インキ層１１は、溶着シーム７を形成すべき部分９における相対向する一対の内面９ａ、９ａにそれぞれ設け、当該一対の内面９ａ、９ａのインキ層１１、１１が相互に重なり合うようにしている。
【００３０】
図６に示す事例においては、インキ層１１は、溶着シーム７を形成すべき部分９における相対向する一対の内面９ａ、９ａにそれぞれ設け、当該一対の内面９ａ、９ａのインキ層１１、１１が相互に重なり合わないようにしている。
【００３１】
図３に示す事例においては、インキ層１１は、溶着シーム７を形成すべき部分９における相対向する一対の内面９ａ、９ａにおける一方の内面９ａにのみ設けている。
【００３２】
インキ層１１は、一例として、透明である。
【００３３】
なお、インキ層１１により、例えば、所望の商標、キャラクター、開封部位を示す表示等を表してもよい。また、該インキ層１１により意匠的な表現を行ってもよい。
【００３４】
また、インキ層１１は、必ずしもフィルム包装体１の側面１ａに位置する溶着シーム７について設ける必要はなく、フィルム包装体１の端面１ｂに位置する溶着シーム７について設けてもよい。例えば、図８に示す事例においては、複数の缶詰３、３・・・を積み重ねた状態で包装しているフィルム包装体１における端面１ｂに位置する溶着シーム７についてインキ層１１を設けている。
【図面の簡単な説明】
【００３５】
【図１】フィルム包装体における溶着シームを形成すべき部分とインキ層とを概略的に示す斜視図である。
【図２】フィルム包装体の一例を溶着している状態を示す断面図である。
【図３】フィルム包装体の別の一例を溶着している状態を示す断面図である。
【図４】フィルム包装体に設けられたインキ層の一例を概略的に示す正面図である。
【図５】フィルム包装体に設けられたインキ層の別の一例を概略的に示す正面図である。
【図６】フィルム包装体に設けられたインキ層の更に別の一例を概略的に示す正面図である。
【図７】缶詰を包装しているフィルム包装体の一例を示す斜視図である。
【図８】缶詰を包装しているフィルム包装体の別の一例を示す斜視図である。
【符号の説明】
【００３６】
１  フィルム包装体
１ａ  側面
１ｂ  端面
３  缶詰
５  フィルム
７  溶着シーム
９  部分
９ａ  内面
１１  インキ層
１３ａ  溶着手段
１３ｂ  溶着手段
１５  間隔
【図１】
2009096515.tif 000003
【図３】
2009096515.tif 000004
【図４】
2009096515.tif 000005
【図５】
2009096515.tif 000006
【図６】
2009096515.tif 000007
【図７】
2009096515.tif 000008
【図２】
2009096515.tif 000009
【図８】
2009096515.tif 000010